(57)【要約】      （修正有）【課題】ＵＳＢインタフェース規格に準拠する情報媒体を処理する金融取引端末及びその作業方法を提供する。【解決手段】当該金融取引端末は、システム制御モジュール１１、入力モジュール１２、出力モジュール１３、インタフェースモジュール１４、セキュリティ制御モジュール１５、通信モジュール１６を含む。前記システム制御モジュールは、ＵＳＢ情報媒体処理サブモジュールを含む。システム制御モジュールは、入力モジュール、出力モジュール、インタフェースモジュール、セキュリティ制御モジュール、通信モジュールと接続し、制御する。インタフェースモジュールは、ＵＳＢ情報媒体インタフェースサブモジュールを含み、当サブモジュールはＵＳＢ情報媒体と接続できる。前記セキュリティ制御モジュールは、ハードウェアの暗号化に用いられる。前記通信モジュールは銀行ネットワークと接続する。【選択図】図１
2008004098.tif 000002
【特許請求の範囲】
【請求項１】
システム制御モジュール、入力モジュール、出力モジュール、インタフェースモジュール、セキュリティ制御モジュール、通信モジュールを含むＵＳＢインタフェース規格に準拠する情報媒体を処理する金融取引端末であって、
ＵＳＢ情報媒体処理サブモジュールを有し、入力モジュール、出力モジュール、インタフェースモジュール、セキュリティ制御モジュール、通信モジュールと接続し、制御する前記システム制御モジュールと、
ＵＳＢ情報媒体インタフェースサブモジュールを有し、当該サブモジュールはＵＳＢ情報媒体と接続できる前記インタフェースモジュールと、
データの暗号化と復号化を行う為に用いられる前記セキュリティ制御モジュールと、
銀行ネットワークと接続するための前記通信モジュールと、
を備えることを特徴とする金融取引端末。
【請求項２】
前記情報とデータは金融取引情報とデータであることを特徴とする請求項１記載の金融取引端末。
【請求項３】
前記入力モジュールはキーボードであることを特徴とする請求項１又は２記載の金融取引端末。
【請求項４】
前記入力モジュールは押しボタンであることを特徴とする請求項１又は２記載の金融取引端末。
【請求項５】
前記入力モジュールはタッチパネルスクリーンであることを特徴とする請求項１又は２記載の金融取引端末。
【請求項６】
前記入力モジュールはキーボード、押しボタン、タッチパネルスクリーンの組合せであることを特徴とする請求項１又は２記載の金融取引端末。
【請求項７】
前記出力モジュールは表示ディスプレーであることを特徴とする請求項１又は２記載の金融取引端末。
【請求項８】
前記出力モジュールは印字装置であることを特徴とする請求項１又は２記載の金融取引端末。
【請求項９】
前記出力モジュールは表示ディスプレーと印字装置であることを特徴とする請求項１又は２記載の金融取引端末。
【請求項１０】
前記金融取引端末はＡＴＭ機又はＥＦＴ／ＰＯＳ機であることを特徴とする請求項１又は２記載の金融取引端末。
【請求項１１】
前記ＵＳＢ情報媒体にはユーザの金融取引標識情報が保存されていることを特徴とする請求項１又は２記載の金融取引端末。
【請求項１２】
前記ＵＳＢ情報媒体インタフェースモジュールは、無線ＵＳＢ情報媒体インタフェースモジュールであることを特徴とする請求項１又は２記載の金融取引端末。
【請求項１３】
前記ＵＳＢ情報媒体は、ＵＳＢ  ＴＯＫＥＮ又はＵＳＢメモリを含むＵＳＢポータブル設備であることを特徴とする請求項１又は２記載の金融取引端末。
【請求項１４】
ＵＳＢインタフェース規格に準拠する情報媒体を処理する金融取引端末の作業方法であって、
（１）ＵＳＢ情報媒体と接続するステップと、
（２）金融取引端末はＵＳＢ情報媒体を検出するステップと
（３）金融取引端末はデフォールトアドレスを使ってＵＳＢ情報媒体に設備情報コード請求を発送するステップと、
（４）ＵＳＢ情報媒体は金融取引端末に自分の設備情報コードを返すステップと、
（５）金融取引端末は、ＵＳＢ情報媒体に一つ新しい一意のアドレスを割り当てるステップと、
（６）金融取引端末は新しいアドレスを使って改めてＵＳＢ情報媒体に設備情報コード請求を発送するステップと、
（７）ＵＳＢ情報媒体は金融取引端末に自分の設備情報コードを返すステップと、
（８）金融取引端末はＵＳＢ情報媒体に配置情報コード請求を発送するステップと、
（９）ＵＳＢ情報媒体はプログラム保存領域から対応の情報コードを取出し、金融取引端末に返すステップと、
（１０）金融取引過程を実行するステップと、
を含むことを特徴とする金融取引端末の作業方法。
【請求項１５】
前記金融取引過程は、金融取引端末、ＵＳＢ情報媒体及び銀行ネットワーク間の情報交換の過程であり、金融取引端末が接続しているＵＳＢ情報媒体にある情報をアクセスして処理する操作を含むことを特徴とする請求項１４記載の金融取引端末の作業方法。
【発明の詳細な説明】
【技術分野】
【０００１】
本発明は、金融取引システム及びその作業方法に関するものであり、特にＵＳＢインタフェース規格に準拠する情報媒体を処理できる金融取引端末及びその作業方法に関するものである。
【背景技術】
【０００２】
社会と経済の発展に伴い、ますます多くの金融取引端末（例えば、ATM機、EFT/POS機など）は銀行、売り場、街角など様々な場所に設置されてきました。これらの金融取引端末は、キャッシングや買い物など様々な金融取引活動を便利にしている。現在、金融取引端末は磁気カード、ICカードまたRFカードなどのカードだけを処理できる。これらのカードには、主口座番号（ＰＡＮ）と有効期限などの標識情報が保存されている。金融取引端末には、専用のカードリーダがあり、これらのカード上の情報を読み込むことができる。また、取引端末はネットワークを通じて銀行ネットワークと接続して、情報交換を実現し、金融取引を完成する。その中、最も広く使用されたのは磁気カードであるが、磁気カードには、偽造されやすいという欠点がある。
【０００３】
ＵＳＢ（Universal Serial Bus、汎用シリアルバス）は、コンピュータと周辺機器のインタフェースソリューションの一つとして、使用が便利、転送速度が速い、ポートが拡張しやすいなどの特徴がある為、家電、移動通信、家庭ネットワーク、工業制御及び機器計器などの分野にも利用が拡大されている。
【０００４】
各分野におけるデータ転送とインタフェース技術の需要に合わせて、ＵＳＢ技術の標準は１．０から２．０に発展してきて、データ転送の速度も最初の１．５Ｍｂｉｔ／ｓから４８０Ｍｂｉｔ／ｓに上がってきている。転送速度が大幅に向上されたと同時に、ＵＳＢは通信技術の無線化の流れを追随し、従来の線ケーブルによるＵＳＢを無線伝送プラットフォームによる無線ＵＳＢ(Wireless ＵＳＢ)に拡張されている。この様な新しい高速無線個人交信技術は、従来の有線ＵＳＢ２.０標準の有する高い転送速度の優勢を引き継いでいると同時に、無線伝送技術の柔軟性と高い自由度を十分に利用し、有線ＵＳＢに必要な線ケーブル接続による煩雑さを避けて、接続設備により大きな便利性と移動性を提供している。
【０００５】
現在、市場には各種のＵＳＢインタフェース規格に準拠する情報媒体があり、例えば知能型暗号キーがある。知能型暗号キー（ＵＳＢ  ＴＯＫＥＮ）はＵＳＢインタフェースを採用して、情報の保存ができ、性能も安定している。セキュリティファイルシステムを内蔵して、Ｘ．５０９デジタル証書、暗号鍵及びその他の機密情報が保存でき、有効かつ簡単な配置により、商業や電子ベンダまたエンドユーザに安全かつ便利なユーザ認証を提供することができる。これによって、コストも削減できる。また、知能型暗号キーは非常に広く発行され、ネットワーク上取引にも大量に使用されている。
【発明の開示】
【発明が解決しようとする課題】
【０００６】
現在、金融取引端末は、磁気カードやスマートカードなどのカードのみが処理でき、広く使用されているＵＳＢ情報媒体設備が処理できない。
【０００７】
この発明は、上記従来技術の問題点を解決し、ＵＳＢインタフェース規格に準拠する情報媒体（ＵＳＢ情報媒体と称する）を処理できる金融取引端末を提供することを課題とする。
【課題を解決するための手段】
【０００８】
上記する目的を達成するために、本発明は以下の構成を備える。
【０００９】
ＵＳＢインタフェース規格に準拠する情報媒体を処理する金融取引端末であり、システム制御モジュール、入力モジュール、出力モジュール、インタフェースモジュール、セキュリティ制御モジュール、通信モジュールを含む。前記金融取引端末は、ＵＳＢ情報媒体を処理でき、即ち、ＵＳＢ情報媒体と情報交換ができ、両者間のデータ転送を行うことができる。前記システム制御モジュールは、ＵＳＢ情報媒体処理サブモジュールを含む。システム制御モジュールは、入力モジュール、出力モジュール、インタフェースモジュール、セキュリティ制御モジュール、通信モジュールと接続し、制御する。インタフェースモジュールは、ＵＳＢ情報媒体インタフェースサブモジュールを有し、当サブモジュールはＵＳＢ情報媒体と接続できる。前記セキュリティ制御モジュールは、データの暗号化と復号化を行う為に用いられる。前記通信モジュールは銀行ネットワークと接続し、ＵＳＢ情報媒体と銀行ネットワーク間の情報交換のメディアとなっている。
【００１０】
前記情報とデータは金融取引情報とデータである。
【００１１】
前記入力モジュールはキーボード、押しボタン或いはタッチパネルスクリーン、またはその組合せである。
【００１２】
前記出力モジュールは表示ディスプレーと印字装置などの周辺設備を含む。
【００１３】
前記金融取引端末はＡＴＭ機、ＥＦＴ／ＰＯＳ機または、他の形式の金融応用のセルフサービス端末である。
【００１４】
前記ＵＳＢ情報媒体にはユーザの金融取引標識情報、例えば、主口座番号と有効期限が保存されている。
【００１５】
前記ＵＳＢ情報媒体インタフェースモジュールは、無線ＵＳＢ情報媒体インタフェースモジュールである。
【００１６】
前記ＵＳＢ情報媒体は、ＵＳＢ  ＴＯＫＥＮまたはＵＳＢメモリを含むＵＳＢポータブル設備である。
【００１７】
また、本発明におけるＵＳＢインタフェース規格に準拠する情報媒体を処理する金融取引端末の作業方法は下記の手順を含む。
（１）ＵＳＢ情報媒体と接続する、
（２）金融取引端末はＵＳＢ情報媒体を検出する、
（３）金融取引端末はデフォールトアドレスを使ってＵＳＢ情報媒体に設備情報コード請求を発送する、
（４）ＵＳＢ情報媒体は金融取引端末に自分の設備情報コードを返す、
（５）金融取引端末は、ＵＳＢ情報媒体に一つ新しい一意のアドレスを割り当てる、
（６）金融取引端末は新しいアドレスを使って改めてＵＳＢ情報媒体に設備情報コード請求を発送する、
（７）ＵＳＢ情報媒体は金融取引端末に自分の設備情報コードを返す、
（８）金融取引端末はＵＳＢ情報媒体に配置情報コード請求を発送する、
（９）ＵＳＢ情報媒体はプログラム保存領域から対応の情報コードを取出し、金融取引端末に返す、
（１０）金融取引を実行する。
【００１８】
前記金融取引過程は、金融取引端末、ＵＳＢ情報媒体及び銀行ネットワーク間の情報交換の過程であり、金融取引端末が接続しているＵＳＢ情報媒体にある情報をアクセスして処理する操作を含む。
【発明の効果】
【００１９】
本発明の金融取引端末の有益な効果として、ＵＳＢ情報媒体を挿し込む・接続する為のＵＳＢインタフェースと処理モジュールがある為、ＵＳＢ情報媒体を処理することができて、ＵＳＢ情報媒体をＰＣに利用できる上、金融取引端末にも利用できる様になり、使用を大いに便利にしている。
【発明を実施するための最良の形態】
【００２０】
これから、図面を参照しながら、具体的な実施例を用いて本発明についてさらに詳しく説明する：
図１の示す様に、本発明における金融取引端末は、システム制御モジュール１１、入力モジュール１２、出力モジュール１３、インタフェースモジュール１４、セキュリティ制御モジュール１５、通信モジュール１６を備える。その中、インタフェースモジュール１４は、ＵＳＢ情報媒体インタフェースサブモジュール１４１を含む。前記システム制御モジュール１１は、ＵＳＢ情報媒体処理サブモジュール１１１を含む。前記入力モジュール１２はキーボード、押しボタン或いはタッチパネルスクリーン、またはそれらの組合せである。前記出力モジュール１３は表示ディスプレーと印字装置などの周辺設備を含む。前記セキュリティ制御モジュール１５は、暗号鍵によりデータの暗号化と復号化を行う為に用いられ、取引の安全性を保証する。前記通信モジュール１６は銀行ネットワーク１８と接続し、ＵＳＢ情報媒体１７と銀行ネットワーク１８間の情報交換のメディアとなり、ＵＳＢ情報媒体、金融取引端末と銀行ネットワーク間において、互いに情報の交換が行える。前記金融取引端末はＡＴＭ機、ＥＦＴ／ＰＯＳ機または、他の形式の金融応用のセルフサービス端末である。
【００２１】
図２の示す様に、本発明におけるＵＳＢインタフェース規格に準拠する情報媒体を処理できる金融取引端末の取引過程として、下記の手順を含む。
【００２２】
手順２０１が開始した後、まず手順２０２において、ユーザはＵＳＢ情報媒体を前記金融取引端末にあるＵＳＢ情報媒体インタフェースに挿し込む。その後、手順２０３においてユーザの身分に対して認証を行う（当手順は選択できる）。例えば、ユーザにパスワードや指紋の入力を要求する。認証が成功した場合、手順２０７では、ユーザは前記金融取引端末にある入力モジュールにより請求（指令）を発送する。身分認証が成功しない場合、手順２０４でユーザ認証失敗を通知し、手順２０５においてユーザにより操作を継続するかを選択する。ユーザは操作を継続すると選択した場合、手順２０３に戻り、再度認証を行い、認証が成功となって初めて、ユーザが次の操作を行える様になる、即ち、手順２０７において請求（指令）を発送する。手順２０５において、ユーザはいいえと選択した場合、手順２０６における操作を行い、システムを中止する。前記金融取引端末は、ユーザからの請求を受信した後、手順２０８において、その請求を銀行ネットワークへ転送する。この時、手順２０９において、銀行ネットワークよりその請求が正当であるかを判別する。正当な要求の場合、手順２１２において、銀行ネットワークは前記金融取引端末にコマンドを発送し、ユーザの請求を実行する様に通知する。正当な要求でない場合、手順２１０で銀行ネットワークは前記金融取引端末を通じてその請求が不当であることをユーザに通知し、サービスを拒否する。手順２１１において、システムはユーザに操作を継続するかを選択する様に提示する。ユーザが操作を継続すると選択した場合、手順２０７に戻りユーザに改めて請求を入力する様に要求する。ユーザが操作を継続すると選択しない場合、手順２０６において、システムを中止する。前記金融取引端末はユーザが発送した請求を実行した後、手順２１３において、実行結果を銀行ネットワークへ返し、銀行ネットワークによって、情報をデータベースに記録して、最後に手順２１４において、業務を終了する。
【００２３】
図３の示す様に、ＵＳＢ情報媒体を使用して上記の操作を行う前に、金融取引端末は、ＵＳＢ情報媒体に対して一つの列挙過程を行う。その過程は、下記の手順を含む。
【００２４】
手順３０１が開始した後、手順３０２でＵＳＢ情報媒体を接続する、
手順３０３で、金融取引端末はＵＳＢ情報媒体の挿し込みを検出する、
手順３０４で、金融取引端末はデフォールトアドレス（アドレス０）を使ってＵＳＢ情報媒体に設備情報コード請求を発送する、
手順３０５で、ＵＳＢ情報媒体は金融取引端末に自分の設備情報コードを返すことで返答する、
手順３０６で、返答を受信した後、金融取引端末は、ＵＳＢ情報媒体に一つ新しい一意のアドレスを割り当てる、
手順３０７で、金融取引端末は新しいアドレスを使って改めてＵＳＢ情報媒体に設備情報コード請求を発送する、
手順３０８で、ＵＳＢ情報媒体は金融取引端末に自分の設備情報コードを返すことで返答する、
手順３０９で、金融取引端末はＵＳＢ情報媒体に配置情報コード請求を発送する、
手順３１０で、ＵＳＢ情報媒体はプログラム保存領域から対応の情報コードを取出し、金融取引端末に返す。金融取引端末が全ての情報コードを受信した後、ＵＳＢ情報媒体の列挙過程は完了とする。ＵＳＢ情報媒体が配置された後、金融取引端末の間にチャンネルが出来た。即ち、両者の間に金融取引が行える様になった、手順３１１で金融取引過程を実行する、最後手順３１２で、完成し、その業務を終了する。
【００２５】
上記の実施形態は、本発明の原理及び実施方法について説明する為に用いられるものとする。当該分野の一般技術者にとって、本発明の思想に従い、具体的な実施形態の面において変更があり得る。この為、上記の実施形態は本発明に対する制限と理解されてはならない。
【図面の簡単な説明】
【００２６】
【図１】本発明の構成概要図。
【図２】本発明の取引フロー図。
【図３】本発明の作業フロー図。
【図１】
2008004098.tif 000003
【図２】
2008004098.tif 000004
【図３】
2008004098.tif 000005